(57)【要約】      （修正有）【課題】前回のグループ討議の内容を伝達しやすくする。【解決手段】第１グループの討議に参加する複数の第１メンバーの各々が使用するユーザ端末が共用する表示エリアの任意の位置にユーザ端末から提供される表示オブジェクトを貼り付け、討議を終えた時点で表示エリアに貼り付けられている表示オブジェクトのうちそれらの表示オブジェクトを代表する第１オブジェクトを決定し、第１オブジェクトの周辺に貼り付けられている第２オブジェクトを選択し、第１オブジェクトと第２オブジェクトとを含む要約データを生成し、メンバー入れ替えに伴い複数の第１メンバーの各々が改めて参加する第２グループの討議に参加する第２メンバーの端末に要約データを配信する。【選択図】図１９
2017068316.tif 000002
【特許請求の範囲】
【請求項１】
第１グループの討議に参加する複数の第１メンバーの各々が使用するユーザ端末が共用する表示エリアの任意の位置に、前記ユーザ端末から提供される表示オブジェクトを貼り付ける処理と、
前記討議を終えた時点で前記表示エリアに貼り付けられている前記表示オブジェクトのうち、それらの前記表示オブジェクトを代表する第１オブジェクトを決定する決定処理と、
前記第１オブジェクトの周辺に貼り付けられている第２オブジェクトを選択する処理と、
前記第１オブジェクトと前記第２オブジェクトとを含む要約データを生成する処理と、
メンバー入れ替えに伴い、前記複数の第１メンバーの各々が改めて参加する第２グループの討議に参加する第２メンバーの端末に、前記要約データを配信する配信処理と
を含み、コンピュータにより実行される討議支援方法。
【請求項２】
前記決定処理において、前記表示オブジェクト同士の間隔、前記表示オブジェクトの大きさ、前記表示オブジェクトの移動距離、前記表示オブジェクトへのタッチ回数又は前記表示オブジェクトの色に基づいて、前記第１オブジェクトを決定する
請求項１記載の討議支援方法。
【請求項３】
前記配信処理において、前記第１オブジェクトと前記第２オブジェクトとを描画した画面データを、前記要約データとして配信する
請求項２記載の討議支援方法。
【請求項４】
第１グループの討議に参加する複数の第１メンバーの各々が使用するユーザ端末が共用する表示エリアの任意の位置に、前記ユーザ端末から提供される表示オブジェクトを貼り付ける処理と、
前記討議を終えた時点で前記表示エリアに貼り付けられている前記表示オブジェクトのうち、それらの前記表示オブジェクトを代表する第１オブジェクトを決定する決定処理と、
前記第１オブジェクトの周辺に貼り付けられている第２オブジェクトを選択する処理と、
前記第１オブジェクトと前記第２オブジェクトとを含む要約データを生成する処理と、
メンバー入れ替えに伴い、前記複数の第１メンバーの各々が改めて参加する第２グループの討議に参加する第２メンバーの端末に、前記要約データを配信する配信処理と
をコンピュータに実行させるプログラム。
【請求項５】
第１グループの討議に参加する複数の第１メンバーの各々が使用するユーザ端末が共用する表示エリアの任意の位置に、前記ユーザ端末から提供される表示オブジェクトを貼り付ける貼付部と、
前記討議を終えた時点で前記表示エリアに貼り付けられている前記表示オブジェクトのうち、それらの前記表示オブジェクトを代表する第１オブジェクトを決定する決定部と、
前記第１オブジェクトの周辺に貼り付けられている第２オブジェクトを選択する選択部と、
前記第１オブジェクトと前記第２オブジェクトとを含む要約データを生成する生成部と、
メンバー入れ替えに伴い、前記複数の第１メンバーの各々が改めて参加する第２グループの討議に参加する第２メンバーの端末に、前記要約データを配信する配信部と
を有する討議支援装置。
【発明の詳細な説明】
【技術分野】
【０００１】
本発明は、グループ討議を支援する技術に関する。
【背景技術】
【０００２】
グループ討議において、メンバーを入れ替えて複数回討議を繰り返す討議方式が知られている。例えば、ワールドカフェという討議方式では、２回目以降のグループ討議を開始する際に、メンバーが前回のグループ討議の内容を他のメンバーに伝達するという手順が薦められている。
【０００３】
このようにすれば、討議の重複を避けるとともに、討議の内容を深めることができる。
【０００４】
しかし、前回のグループ討議の内容を、その討議に参加していなかった者に正しく伝えることは、なかなか容易ではない。
【先行技術文献】
【特許文献】
【０００５】
【特許文献１】特開２００２−２０７６８２号公報
【特許文献２】特開２０１４−１３９７３４号公報
【特許文献３】特開２００７−２８６８６１号公報
【特許文献４】特開２０１１−１３５３９０号公報
【特許文献５】特許第５１０４７６２号公報
【発明の概要】
【発明が解決しようとする課題】
【０００６】
本発明の目的は、一側面では、前回のグループ討議の内容を伝達しやすくすることである。
【課題を解決するための手段】
【０００７】
一態様に係る討議支援方法は、（Ａ）第１グループの討議に参加する複数の第１メンバーの各々が使用するユーザ端末が共用する表示エリアの任意の位置に、ユーザ端末から提供される表示オブジェクトを貼り付ける処理と、（Ｂ）討議を終えた時点で表示エリアに貼り付けられている表示オブジェクトのうち、それらの表示オブジェクトを代表する第１オブジェクトを決定する決定処理と、（Ｃ）第１オブジェクトの周辺に貼り付けられている第２オブジェクトを選択する処理と、（Ｄ）第１オブジェクトと第２オブジェクトとを含む要約データを生成する処理と、（Ｅ）メンバー入れ替えに伴い、複数の第１メンバーの各々が改めて参加する第２グループの討議に参加する第２メンバーの端末に、要約データを配信する配信処理とを含む。
【発明の効果】
【０００８】
一側面としては、前回のグループ討議の内容を伝達しやすくなる。
【図面の簡単な説明】
【０００９】
【図１】図１は、ネットワーク構成例を示す図である。
【図２】図２は、討議会の運営フェーズを示す図である。
【図３】図３は、１回目のグループ例を示す図である。
【図４】図４は、２回目のグループ例を示す図である。
【図５】図５は、グループの編成に係るシーケンス例を示す図である。
【図６】図６は、グループ討議に係るシーケンス例を示す図である。
【図７】図７は、ユーザ端末の表示例を示す図である。
【図８】図８は、ユーザ端末の表示例を示す図である。
【図９】図９は、ユーザ端末の表示例を示す図である。
【図１０】図１０は、ユーザ端末の表示例を示す図である。
【図１１】図１１は、ユーザ端末の表示例を示す図である。
【図１２】図１２は、サーバ装置のモジュール構成例を示す図である。
【図１３】図１３は、メンバーテーブルの例を示す図である。
【図１４】図１４は、メイン処理フローの例を示す図である。
【図１５】図１５は、グループテーブルの例を示す図である。
【図１６】図１６は、グループ処理フローの例を示す図である。
【図１７】図１７は、個別オブジェクトテーブルの例を示す図である。
【図１８】図１８は、共有オブジェクトテーブルの例を示す図である。
【図１９】図１９は、メイン処理フローの例を示す図である。
【図２０】図２０は、生成処理フローの例を示す図である。
【図２１】図２１は、決定処理フローの例を示す図である。
【図２２】図２２は、共有オブジェクトテーブルの例を示す図である。
【図２３】図２３は、要約データの例を示す図である。
【図２４】図２４は、グループテーブルの例を示す図である。
【図２５】図２５は、配信処理フローの例を示す図である。
【図２６】図２６は、ユーザ端末の表示例を示す図である。
【図２７】図２７は、コンピュータの機能ブロック図である。
【発明を実施するための形態】
【００１０】
討議会の運営と討議支援システムの動作概要について説明する。図１に、ネットワーク構成例を示す。サーバ装置１０１及びユーザ端末１０３ａ乃至ｉは、ネットワーク（例えば、有線ＬＡＮ（Local Area Network）又は無線ＬＡＮ）を介して接続している。サーバ装置１０１は、アクセスポイントを内蔵していてもよい。
【００１１】
この例では、サーバ装置１０１は、討議会の運営及びメモや写真などのデジタルデータ（以下では、オブジェクトという。）の管理を支援する。ユーザ端末１０３ａ乃至ｉは、討議会に参加するメンバーが使用する端末である。
【００１２】
図２に、討議会の運営フェーズを示す。この例では、グループに参加するメンバーを入れ替えながら、複数回のグループ討議を行う。この例では、１回目のグループ編成で、３人のメンバーによるグループを３つ編成する（Ｓ２０１）。
【００１３】
図３に、１回目のグループ例を示す。会場内には、３つのテーブル３０１ａ乃至ｃが設置されている。テーブル３０１ａのグループには、メンバー３０３ａ、メンバー３０３ｂ及びメンバー３０３ｃが参加する。テーブル３０１ｂのグループには、メンバー３０３ｄ、メンバー３０３ｅ及びメンバー３０３ｆが参加する。テーブル３０１ｃのグループには、メンバー３０３ｇ、メンバー３０３ｈ及びメンバー３０３ｉが参加する。メンバー３０３ａは、テーブル３０１ａのグループのリーダーであり、メンバー３０３ｄは、テーブル３０１ｂのグループのリーダーであり、メンバー３０３ｇは、テーブル３０１ｃのグループのリーダーである。
【００１４】
図示するように、メンバー３０３ａ乃至メンバー３０３ｉは、それぞれユーザ端末１０３ａ乃至ユーザ端末１０３ｉを用いる。
【００１５】
上述した各グループにおいて、１回目の討議が行われる（Ｓ２０３）。オブジェクトを提示しながら、意見を述べる。提示されたオブジェクトは、グループに参加するメンバー３０３間において共有される。つまり、各メンバー３０３が使用するユーザ端末１０３にオブジェクトが表示される。また、オブジェクトは、糊付き付箋の貼り付けを模した態様で管理される。従って、討論の進行に応じて、オブジェクトの位置は任意に変更され、意見が整理される。
【００１６】
１回目の討議を終えると、１回目のまとめが行われる（Ｓ２０５）。具体的には、グループ内で共有されたオブジェクトの一部を、討議内容の要約として抽出する。
【００１７】
そして、メンバーを入れ替えて、２回目のグループが編成される（Ｓ２０７）。
【００１８】
図４に、２回目のグループ例を示す。テーブル３０１ａのグループには、メンバー３０３ａ、メンバー３０３ｅ及びメンバー３０３ｉが参加する。テーブル３０１ｂのグループには、メンバー３０３ｄ、メンバー３０３ｂ及びメンバー３０３ｈが参加する。テーブル３０１ｃのグループには、メンバー３０３ｇ、メンバー３０３ｃ及びメンバー３０３ｆが参加する。メンバー３０３ａは、テーブル３０１ａのグループのリーダーであり、メンバー３０３ｄは、テーブル３０１ｂのグループのリーダーであり、メンバー３０３ｇは、テーブル３０１ｃのグループのリーダーである。
【００１９】
上述した各グループにおいて、２回目の討議を開始する前に、当該グループのメンバーが１回目のまとめを発表する（Ｓ２０９）。このとき、Ｓ２０５において生成した１回目の討議内容の要約を、メンバーのユーザ端末１０３に表示する。このようにすれば、１回目のまとめを発表しやすくなる。
【００２０】
その後、１回目と同様に２回目の討議を行い（Ｓ２１１）、討議を終えると２回目のまとめを行う。（Ｓ２１３）。３回目以降は、２回目と同様の手順を繰り返す。
【００２１】
続いて、図５及び図６を用いて、討議支援システムによるシーケンスについて説明する。図５に、グループの編成に係るシーケンスを示す。メンバー３０３ａは、ユーザ端末１０３ａにおいてグループへの参加の操作を行う（Ｓ５０１）。この操作によって、ユーザ端末１０３ａからサーバ装置１０１へ参加通知が送られる。サーバ装置１０１は、グループを管理するデータにメンバー３０３ａを登録する（Ｓ５０３）。
【００２２】
同様に、メンバー３０３ｂは、ユーザ端末１０３ｂにおいてグループへの参加の操作を行う（Ｓ５０５）。この操作によって、ユーザ端末１０３ｂからサーバ装置１０１へ参加通知が送られる。サーバ装置１０１は、グループを管理するデータにメンバー３０３ｂを登録する（Ｓ５０７）。
【００２３】
同様に、メンバー３０３ｃは、ユーザ端末１０３ｃにおいてグループへの参加の操作を行う（Ｓ５０９）。この操作によって、ユーザ端末１０３ｃからサーバ装置１０１へ参加通知が送られる。サーバ装置１０１は、グループを管理するデータにメンバー３０３ｃを登録する（Ｓ５１１）。
【００２４】
そして、メンバー３０３ａは、ユーザ端末１０３ａにおいてグループ討議の開始の操作を行う（Ｓ５１３）。この操作によって、ユーザ端末１０３ａからサーバ装置１０１へ開始通知が送られる。このようにして、討議が始まる。
【００２５】
図６に、グループ討議に係るシーケンスを示す。メンバー３０３ａは、ユーザ端末１０３ａにおいてメモの書き込みの操作を行う（Ｓ６０１）。この例では、テキストによるメモを想定するが、手書きイメージのメモを書き込むようにしてもよい。メモの書き込みは、オブジェクトの生成の一態様である。
【００２６】
メンバー３０３ａは、更にユーザ端末１０３ａにおいて画像の取り込みの操作を行う（Ｓ６０３）。例えば、プライベート用の端末からユーザ端末１０３ａへ画像データを転送する。画像の取り込みは、オブジェクトの生成の一態様である。
【００２７】
オブジェクトを生成した段階では、オブジェクトはまだグループにおいて共有されていない。メンバー３０３ａは、ユーザ端末１０３ａにおいてオブジェクトを共有させる操作を行う（Ｓ６０５）。この操作によって、ユーザ端末１０３ａからサーバ装置１０１へオブジェクトの共有指示が送られる。サーバ装置１０１は、グループのメンバーのユーザ端末１０３において閲覧される表示エリア（以下、共用エリアという。）に、オブジェクトを貼り付ける。（Ｓ６０７）。
【００２８】
メンバー３０３ｂは、メンバー３０３ａの場合と同様に、ユーザ端末１０３ｂにおいてメモの書き込みを行い（Ｓ６０９）、画像の取り込みを行う（Ｓ６１１）。更に、メンバー３０３ｂは、メンバー３０３ａの場合と同様に、ユーザ端末１０３ｂにおいてオブジェクトの共有を行う（Ｓ６１３）。サーバ装置１０１は、メンバー３０３ａの場合と同様に、オブジェクトの貼り付けを行う（Ｓ６１５）。
【００２９】
メンバー３０３ｃは、メンバー３０３ａの場合と同様に、ユーザ端末１０３ｃにおいてメモの書き込みを行い（Ｓ６１７）、画像の取り込みを行う（Ｓ６１９）。更に、メンバー３０３ｃは、メンバー３０３ａの場合と同様に、ユーザ端末１０３ｃにおいてオブジェクトの共有を行う（Ｓ６２１）。サーバ装置１０１は、メンバー３０３ａの場合と同様に、オブジェクトの貼り付けを行う（Ｓ６２３）。
【００３０】
図７に、時点Ｔ１におけるユーザ端末１０３ａ乃至ｃの表示例を示す。以降、ユーザ端末１０３の表示例では、ユーザ端末１０３のフレームを省略し、ユーザ端末１０３における画面のみを示す。Ｓ６０１及びＳ６０３において生成されたオブジェクトがユーザ端末１０３ａの編集エリア７０１に表示されている。Ｓ６０９及びＳ６１１において生成されたオブジェクトがユーザ端末１０３ｂの編集エリア７０１に表示されている。Ｓ６１７及びＳ６１９において生成されたオブジェクトがユーザ端末１０３ｃの編集エリア７０１に表示されている。
【００３１】
図８に、時点Ｔ２におけるユーザ端末１０３ａ乃至ｃの表示例を示す。ユーザ端末１０３ａの編集エリア７０１に設けられていた１番目のオブジェクトと、ユーザ端末１０３ｂの編集エリア７０１に設けられていた１番目のオブジェクトと、ユーザ端末１０３ｃの編集エリア７０１に設けられていた２番目のオブジェクトとが、共用エリア７０３に移されている。この例では、共用エリア７０３は、オブジェクトを縮小して表示している。但し、倍率を変えずにオブジェクトを表示するようにしてもよい。
【００３２】
図６の説明に戻る。時点Ｔ２の状態で、メンバー３０３ａは、ユーザ端末１０３ａにおいてオブジェクトのスライド操作を行う（Ｓ６２５）。この操作によって、ユーザ端末１０３ａからサーバ装置１０１へオブジェクトの移動指示が送られる。サーバ装置１０１は、オブジェクトの位置を修正する（Ｓ６２７）。
【００３３】
更に、メンバー３０３ａは、ユーザ端末１０３ａにおいて別のオブジェクトのスライド操作を行う（Ｓ６２９）。そして、ユーザ端末１０３ａからサーバ装置１０１へオブジェクトの移動指示が送られる。サーバ装置１０１は、オブジェクトの位置を修正する（Ｓ６３１）。
【００３４】
図９に、時点Ｔ３におけるユーザ端末１０３ａの表示例を示す。２つのオブジェクトが共用エリア７０３内を移動している。ここでは、討議中にオブジェクトを移動させる例について説明したが、オブジェクトを削除させる場合もある。このようにして、オブジェクトの共有化、移動及び削除の操作が繰り返される。
【００３５】
図１０に、討議を終える時点Ｔ４におけるユーザ端末１０３ａの表示例を示す。７つのオブジェクトが共用エリア７０３に貼り付けられている。関連の強いオブジェクト同士の間隔が小さくなるようにまとめられている。
【００３６】
図６の説明に戻る。このようにして討議を終えると、メンバー３０３ａは、ユーザ端末１０３ａにおいてグループ討議の終了の操作を行う（Ｓ６３３）。この操作によって、ユーザ端末１０３ａからサーバ装置１０１へ終了通知が送られる。サーバ装置１０１は、要約データを生成する（Ｓ６３５）。
【００３７】
上述した図６の例は、１回目のグループ討議におけるシーケンスを示している。２回目以降のグループ討議の場合には、討議を始める前に、要約データがユーザ端末１０３ａ乃至ユーザ端末１０３ｃへ送られる。そして、要約を閲覧しながら、各メンバー３０３は、順に１回目のグループ討議の内容を伝える。例えば、図４に示したテーブル３０１ａのグループの場合には、メンバー３０３ａがテーブル３０１ａにおける１回目の討議内容を説明する。次に、メンバー３０３ｅがテーブル３０１ｂにおける１回目の討議内容を説明する。最後に、メンバー３０３ｉがテーブル３０１ｃにおける１回目の討議内容を説明する。
【００３８】
図１１に、要約データの表示例を示す。左側から右側へ順に、テーブル３０１ａのグループにおける要約データ、テーブル３０１ｂのグループにおける要約データ、テーブル３０１ｃのグループにおける要約データが、要約エリア１１０１に表示されている。以上で、本実施の形態における処理概要の説明を終える。
【００３９】
図１２に、サーバ装置１０１のモジュール構成例を示す。サーバ装置１０１は、編成部１２０１、配信部１２０３、受付部１２０５、貼付部１２０７、送信部１２０９、移動部１２１１、削除部１２１３、生成部１２１５、決定部１２１７、選択部１２１９、メンバー記憶部１２３１、グループ記憶部１２３３、共用エリアバッファ１２３５、オブジェクト記憶部１２３７、要約記憶部１２３９及び要約エリアバッファ１２４１を有する。
【００４０】
編成部１２０１は、グループの編成を行う。配信部１２０３は、要約データを配信する。受付部１２０５は、ユーザ端末１０３から各種の通知又は指示を受け付ける。貼付部１２０７は、オブジェクトを共用エリア７０３に貼り付ける。送信部１２０９は、データをユーザ端末１０３へ送信する。移動部１２１１は、共用エリア７０３におけるオブジェクトを別の位置に貼り直す。削除部１２１３は、共用エリア７０３におけるオブジェクトを削除する。生成部１２１５は、グループにおける討議内容に関する要約データを生成する。決定部１２１７は、グループにおける討議内容を代表するオブジェクトを決定する。選択部１２１９は、代表するオブジェクトの周辺にあるオブジェクトを選択する。
【００４１】
メンバー記憶部１２３１は、メンバーテーブル（図１３を用いて後述する。）を記憶する。グループ記憶部１２３３は、グループテーブル（図１５を用いて後述する。）を記憶する。共用エリアバッファ１２３５は、共用エリア７０３に表示させる画面データを記憶する。オブジェクト記憶部１２３７は、共有オブジェクトテーブル（図１８を用いて後述する。）を記憶する。要約記憶部１２３９は、要約データ（図２３を用いて後述する。）を記憶する。要約エリアバッファ１２４１は、要約エリア１１０１に表示させる画面データを記憶する。
【００４２】
上述した編成部１２０１、配信部１２０３、受付部１２０５、貼付部１２０７、送信部１２０９、移動部１２１１、削除部１２１３、生成部１２１５、決定部１２１７及び選択部１２１９、は、ハードウエア資源（例えば、図２７）と、以下で述べる処理をプロセッサに実行させるプログラムとを用いて実現される。
【００４３】
上述したメンバー記憶部１２３１、グループ記憶部１２３３、共用エリアバッファ１２３５、オブジェクト記憶部１２３７、要約記憶部１２３９及び要約エリアバッファ１２４１は、ハードウエア資源（例えば、図２７）を用いて実現される。
【００４４】
図１３に、メンバーテーブルの例を示す。この例におけるメンバーテーブルは、メンバーに対応するレコードを有している。メンバーテーブルのレコードは、メンバーＩＤを設定するためのフィールドと、ＩＰ（Internet Protocol）アドレスを設定するためのフィールドと、氏名を設定するためのフィールドとを有している。メンバーＩＤは、メンバーを識別する。ＩＰアドレスは、メンバーが使用するユーザ端末１０３のＩＰアドレスである。
【００４５】
図１３は、上述した例におけるメンバーを表している。メンバーＩＤ「Ｍ０１」は、メンバー３０３ａを指す。メンバーＩＤ「Ｍ０２」は、メンバー３０３ｂを指す。メンバーＩＤ「Ｍ０３」は、メンバー３０３ｃを指す。メンバーＩＤ「Ｍ０４」は、メンバー３０３ｄを指す。メンバーＩＤ「Ｍ０５」は、メンバー３０３ｅを指す。メンバーＩＤ「Ｍ０６」は、メンバー３０３ｆを指す。メンバーＩＤ「Ｍ０７」は、メンバー３０３ｇを指す。メンバーＩＤ「Ｍ０８」は、メンバー３０３ｈを指す。また、メンバーＩＤ「Ｍ０９」は、メンバー３０３ｉを指す。
【００４６】
図１４に、メイン処理フローの例を示す。編成部１２０１は、グループテーブルに、１回に編成されるグループ数（上述した例では、３つ）のグループレコードを追加する（Ｓ１４０１）。
【００４７】
図１５に、グループテーブルの例を示す。この例におけるグループテーブルは、グループに対応するレコード（以下、グループレコードという。）を有している。グループレコードは、グループＩＤを設定するためのフィールドと、開始時刻を設定するためのフィールドと、終了時刻を設定するためのフィールドと、メンバーＩＤを設定するための複数のフィールドとを有している。グループＩＤは、グループを識別する。開始時刻は、討議を始めた時刻である。未だ討議を始めていない場合には、開始時刻のフィールドにＮＵＬＬが設定される。終了時刻は、討議を終えた時刻である。未だ討議を終えていない場合には、終了時刻のフィールドにＮＵＬＬが設定される。メンバーＩＤは、グループに参加したメンバーを特定する。
【００４８】
図１５は、上述した例における１回目に編成されたグループを表している。グループＩＤ「Ｇ０１」は、テーブル３０１ａにおけるグループを指す。グループＩＤ「Ｇ０２」は、テーブル３０１ｂにおけるグループを指す。グループＩＤ「Ｇ０３」は、テーブル３０１ｃにおけるグループを指す。
【００４９】
図１４の説明に戻る。そして、１回に編成されるグループ数のグループ処理を起動する（Ｓ１４０３）。つまり、１回に編成される各グループを対象とするグループ処理を並行して動作させる。グループ処理については、後述する。
【００５０】
編成部１２０１は、未終了のグループ処理があるか否かを判定する（Ｓ１４０５）。未終了のグループ処理があると判定した場合には、Ｓ１４０５の処理を繰り返す。
【００５１】
未終了のグループ処理がないと判定した場合には、編成部１２０１は、討議会を終えるか否かを判定する（Ｓ１４０７）。討議会を終えないと判定した場合には、Ｓ１４０１に示した処理に戻って上述した処理を繰り返す。
【００５２】
例えば、所定の編成回数に達した場合に、討議会を終えると判定するようにしてもよい。そして、討議会を終えると判定した場合には、メイン処理を終える。
【００５３】
上述したグループ処理について説明する。図１６に、グループ処理フローの例を示す。編成部１２０１は、当該グループにおける共有オブジェクトテーブルを設ける（Ｓ１６０１）。この段階の共有オブジェクトテーブルには、未だ何も設定されていない。編成部１２０１は、ユーザ端末１０３から参加通知を受け付けたか否かを判定する（Ｓ１６０３）。
【００５４】
ユーザ端末１０３から参加通知を受け付けたと判定した場合には、編成部１２０１は、メンバーＩＤを登録する（Ｓ１６０５）。参加通知には、参加するグループのＩＤが含まれているものとする。具体的には、編成部１２０１は、参加通知を送信したユーザ端末１０３に対応するメンバーＩＤを特定する。そして、編成部１２０１は、当該グループＩＤに対応するグループレコードに、当該メンバーＩＤを設定する。その後、Ｓ１６０３に示した処理に戻って上述した処理を繰り返す。
【００５５】
一方、ユーザ端末１０３から参加通知を受け付けていないと判定した場合には、編成部１２０１は、ユーザ端末１０３から開始通知を受け付けたか否かを判定する（Ｓ１６０７）。開始通知には、グループＩＤが含まれているものとする。但し、ユーザ端末１０３に対応するメンバーＩＤに基づいて、グループＩＤを特定するようにしてもよい。
【００５６】
ユーザ端末１０３から開始通知を受け付けていないと判定した場合には、Ｓ１６０３に示した処理に戻って上述した処理を繰り返す。
【００５７】
一方、ユーザ端末１０３から開始通知を受け付けたと判定した場合には、編成部１２０１は、開始通知に含まれるグループＩＤに対応するグループレコードに、開始時刻を設定する（Ｓ１６０９）。
【００５８】
そして、配信部１２０３は、１回目の討議であるか否かを判定する（Ｓ１６１１）。１回目の討議でないと判定した場合には、配信部１２０３は、配信処理を実行する（Ｓ１６１３）。配信処理では、要約データを当該グループに参加するメンバー３０３のユーザ端末１０３に配信する。配信処理については、図２５を用いて後述する。配信処理を終えると、Ｓ１６１５に示した処理に移る。
【００５９】
一方、１回目の討議であると判定した場合には、配信処理を実行せずに、Ｓ１６１５に示した処理に移る。
【００６０】
Ｓ１６１５において、受付部１２０５は、ユーザ端末１０３からオブジェクトの共有指示を受け付けたか否かを判定する。オブジェクトの共有指示は、オブジェクトデータを含むものとする。オブジェクトデータは、編集エリア７０１に表示されているオブジェクト（以下、個別オブジェクトという。）のデータである。この例で、個別オブジェクトは、ユーザ端末１０３で保持する個別オブジェクトテーブルで管理されている。但し、サーバ装置１０１において、各メンバー３０３の個別オブジェクトテーブルを保持するようにしてもよい。
【００６１】
図１７に、個別オブジェクトテーブルの例を示す。この例における個別オブジェクトテーブルは、個別オブジェクトに対応するレコード（以下、個別レコードという。）を有している。個別レコードは、個別オブジェクトＩＤを設定するためのフィールドと、タイプを設定するためのフィールドと、実データを設定するためのフィールドと、ファイル名を設定するためのフィールドと、大きさを設定するためのフィールドとを有している。個別オブジェクトＩＤは、個別オブジェクトを識別する。タイプは、個別オブジェクトのデータ形式である。実データは、個別オブジェクトの実データである。ファイル名は、個別オブジェクトのデータを格納するファイル名である。大きさは、個別オブジェクトの表示上の大きさである。
【００６２】
ユーザ端末１０３において、編集エリア７０１に表示されているテキストのオブジェクトを共有させる操作が行われた場合には、オブジェクトのタイプ（つまり、「テキスト」）と、実データと、大きさとが、オブジェクトデータに含められる。ユーザ端末１０３において、編集エリア７０１に表示されている画像のオブジェクトを共有させる操作が行われた場合には、オブジェクトのタイプ（つまり、「画像」）と、ファイル名と、大きさと、ファイルとが、オブジェクトデータに含められる。
【００６３】
また、メンバー３０３によって貼り付け先として指示された、共用エリア７０３内の位置も、オブジェクトデータに含められるものとする。
【００６４】
図１６の説明に戻る。オブジェクトの共有指示を受け付けたと判定した場合には、貼付部１２０７は、共有オブジェクトテーブル（図１８）にオブジェクトデータを登録する（Ｓ１６１７）。具体的には、貼付部１２０７は、共有オブジェクトテーブルに新たなレコードを設け、共有オブジェクトＩＤを割り振り、送信元のユーザ端末１０３に対応するメンバーＩＤを設定する。更に、貼付部１２０７は、当該レコードに、受け付けたオブジェクトデータを設定する。オブジェクトデータにファイルが含まれる場合には、サーバ装置１０１において当該ファイルを保持する。
【００６５】
図１８に、共有オブジェクトテーブルの例を示す。この例における共有オブジェクトテーブルは、共有オブジェクトに対応するレコード（以下、共有レコード）を有している。共有レコードは、共有オブジェクトＩＤを設定するためのフィールドと、メンバーＩＤを設定するためのフィールドと、タイプを設定するためのフィールドと、実データを設定するためのフィールドと、ファイル名を設定するためのフィールドと、位置を設定するためのフィールドと、大きさを設定するためのフィールドとを有している。
【００６６】
共有オブジェクトＩＤは、共有オブジェクトを識別する。メンバーＩＤは、オブジェクトを生成し、共有させたメンバーを特定する。つまり、メンバーＩＤは、共有オブジェクトに基づく意見の発言者に相当する。タイプは、共有オブジェクトのデータ形式である。実データは、共有オブジェクトの実データである。ファイル名は、共有オブジェクトのデータを格納するファイル名である。位置は、共用エリア７０３における共有オブジェクトの位置である。大きさは、共有オブジェクトの表示上の大きさである。
【００６７】
尚、図１８は、図８に示した表示状態における共有オブジェクトテーブルを示している。
【００６８】
図１６の説明に戻る。貼付部１２０７は、登録したオブジェクトデータに基づいて、共有するオブジェクトを共用エリア７０３に貼り付ける（Ｓ１６１９）。つまり、貼付部１２０７は、共有オブジェクトを共用エリア７０３に相当する画面データの所定位置に描画する。送信部１２０９は、共用エリア７０３に相当する画面データを、当該グループに参加するメンバーのユーザ端末１０３に送信する（Ｓ１６２１）。そして、Ｓ１６１５に示した処理に戻って上述した処理を繰り返す。ユーザ端末１０３は、共用エリア７０３に相当する画面データを受信すると、当該画面データを共用エリア７０３に表示させる。
【００６９】
一方、オブジェクトの共有指示を受け付けていないと判定した場合には、端子Ａを介して、図１９のＳ１９０１に示した処理に移る。
【００７０】
図１９の説明に移る。受付部１２０５は、オブジェクトの移動指示を受け付けたか否かを判定する（Ｓ１９０１）。ユーザ端末１０３において、オブジェクトをドラッグさせる操作を行った場合に、オブジェクトの移動指示がサーバ装置１０１に送られる。この例における移動指示は、共有オブジェクトＩＤと移動ベクトルとを含む。
【００７１】
オブジェクトの移動指示を受け付けたと判定した場合には、移動部１２１１は、移動ベクトルに従って、オブジェクトの位置を変更する（Ｓ１９０３）。具体的には、移動部１２１１は、共有オブジェクトＩＤに該当する共有レコードに設定されている位置の座標に、移動ベクトルを加える。
【００７２】
移動部１２１１は、共用エリア７０３を更新する（Ｓ１９０５）。この例では、移動部１２１１は、共用エリア７０３に相当する画面データを一旦初期化し、共有オブジェクトテーブルに登録されている各共有オブジェクトを、改めて共用エリア７０３に貼り付ける。
【００７３】
送信部１２０９は、共用エリア７０３に相当する画面データを、当該グループに参加するメンバーのユーザ端末１０３に送信する（Ｓ１９０７）。そして、端子Ｂを介して、図１６のＳ１６１５に示した処理に戻る。ユーザ端末１０３は、共用エリア７０３に相当する画面データを受信すると、当該画面データを共用エリア７０３に表示させる。
【００７４】
一方、Ｓ１９０１において、オブジェクトの移動指示を受け付けていないと判定した場合には、受付部１２０５は、オブジェクトの削除指示を受け付けたか否かを判定する（Ｓ１９０９）。ユーザ端末１０３において、共用エリア７０３に表示されているオブジェクトを削除させる操作を行った場合に、オブジェクトの削除指示がサーバ装置１０１に送られる。この例における削除指示は、共有オブジェクトＩＤを含むものとする。
【００７５】
オブジェクトの削除指示を受け付けたと判定した場合には、削除部１２１３は、オブジェクトの削除指示に含まれる共有オブジェクトＩＤに該当する共有レコードを削除する（Ｓ１９１１）。
【００７６】
削除部１２１３は、共用エリア７０３を更新する（Ｓ１９１３）。この例では、削除部１２１３は、共用エリア７０３に相当する画面データを一旦初期化し、共有オブジェクトテーブルに登録されている各共有オブジェクトを、改めて共用エリア７０３に貼り付ける。
【００７７】
送信部１２０９は、共用エリア７０３に相当する画面データを、当該グループに参加するメンバーのユーザ端末１０３に送信する（Ｓ１９１５）。そして、端子Ｂを介して、図１６のＳ１６１５に示した処理に戻る。ユーザ端末１０３は、共用エリア７０３に相当する画面データを受信すると、当該画面データを共用エリア７０３に表示させる。
【００７８】
一方、オブジェクトの削除指示を受け付けていないと判定した場合には、受付部１２０５は、終了通知を受け付けたか否かを判定する（Ｓ１９１７）。ユーザ端末１０３において、討議を終える操作を行った場合に、終了通知がサーバ装置１０１に送られる。終了通知には、グループＩＤが含まれるものとする。
【００７９】
終了通知を受け付けていないと判定した場合には、端子Ｂを介して、図１６のＳ１６１５に示した処理に戻る。
【００８０】
一方、終了通知を受け付けたと判定した場合には、編成部１２０１は、終了通知に含まれるグループＩＤに対応するグループレコードに、終了時刻を設定する（Ｓ１９１９）。そして、生成部１２１５は、生成処理を実行する（Ｓ１９２１）。生成処理では、当該グループにおける討議内容に関する要約データを生成する。
【００８１】
図２０に、生成処理フローの例を示す。決定部１２１７は、決定処理を実行する（Ｓ２００１）。決定処理では、当該グループにおける討議内容を代表するオブジェクト（以下、代表オブジェクトという。）を決定する。
【００８２】
図２１に、決定処理フローの例を示す。決定部１２１７は、最も間隔が小さい共有オブジェクトの組を特定する（Ｓ２１０１）。
【００８３】
図２２に、図１０に示した共用エリア７０３における共有オブジェクトの共有オブジェクトテーブルを示す。共有レコードの組み合わせの各々について、位置及び大きさに基づいて共有オブジェクト同士の間隔を算出する。
【００８４】
最も小さい間隔が所定値よりも大きい場合には、代表オブジェクトが無いと判定するようにしてもよい。その場合には、要約の生成及び配信の処理を省略する。
【００８５】
図２１の説明に戻る。決定部１２１７は、Ｓ２１０１において特定した組の一方のタイプがテキストであるか否かを判定する（Ｓ２１０３）。当該特定した組の一方のタイプがテキストであると判定した場合には、決定部１２１７は、当該テキストである共有オブジェクトを代表オブジェクトに決定する（Ｓ２１０５）。
【００８６】
一方、当該特定した組の両方のタイプがテキストである場合、或いは特定した組の両方のタイプがテキストでない場合には、決定部１２１７は、大きい方の共有オブジェクトを代表オブジェクトに決定する（Ｓ２１０７）。
【００８７】
図２１に示した基準以外の基準に従って、代表オブジェクトを決定するようにしてもよい。例えば、共有オブジェクトをスライドさせた移動距離に基づいて、代表オブジェクトを決定するようにしてもよい。共有オブジェクトがタッチされた回数に基づいて、代表オブジェクトを決定するようにしてもよい。共有オブジェクトが色分けされている場合には、共有オブジェクトの色に基づいて代表オブジェクトを決定するようにしてもよい。決定処理を終えると、図２０のＳ２００３に示した処理に復帰する。
【００８８】
図２０の説明に戻る。生成部１２１５は、代表オブジェクトのデータを要約データに加える（Ｓ２００３）。
【００８９】
図２３に、要約データの例を示す。この例における要約データは、テーブル形式である。また、この例における要約データは、要約として抽出された共有オブジェクトに対応するレコードを有している。要約データにおけるレコードの構成は、共有オブジェクトテーブルにおけるレコードの構成と同様である。この例は、代表オブジェクトに相当するレコードと、後述する周辺オブジェクトに相当するレコードとを含んでいる。
【００９０】
図２０の説明に戻る。選択部１２１９は、代表オブジェクトの位置を基準として、周辺オブジェクトを選択する（Ｓ２００５）。具体的には、代表オブジェクトとの間隔が所定値を下回る共有オブジェクトを選択する。
【００９１】
そして、生成部１２１５は、周辺オブジェクトのデータを要約データに加える（Ｓ２００７）。生成処理を終えると、グループ処理も終える。
【００９２】
図２４に、２回目のグループを編成した時点におけるグループテーブルの例を示す。グループＩＤ「Ｇ０４」は、テーブル３０１ａにおけるグループに相当する。グループＩＤ「Ｇ０５」は、テーブル３０１ｂにおけるグループに相当する。グループＩＤ「Ｇ０６」は、テーブル３０１ｃにおけるグループに相当する。この例は、未だ討議を終えていないことを示している。
【００９３】
最後に、図１６のＳ１６１３に示した配信処理について説明する。上述したように、２回目以降の討議では、討議の開始時に前回の要約データが配信される。
【００９４】
図２５に、配信処理フローの例を示す。配信部１２０３は、グループ処理の対象となるグループに該当するグループレコードに設定されているメンバーＩＤを１つ特定する（Ｓ２５０１）。
【００９５】
配信部１２０３は、前回のグループのうち、当該メンバーＩＤが設定されているグループを特定する（Ｓ２５０３）。配信部１２０３は、当該グループにおける要約を描画する（Ｓ２５０５）。具体的には、配信部１２０３は、特定したグループにおける要約データに含まれる各共有オブジェクトを要約エリア１１０１に貼り付ける。つまり、配信部１２０３は、各共有オブジェクトを要約エリア１１０１に相当する画面データに描画する。このとき、余白が少なくなるようにレイアウトするようにしてもよい。また、配信部１２０３は、共用エリア７０３に相当する画面データから、代表オブジェクトと周辺オブジェクトが含まれ、且つ余白が少ない範囲のデータを切り出すようにしてもよい。
【００９６】
そして、配信部１２０３は、未処理のメンバーＩＤがあるか否かを判定する（Ｓ２５０７）。未処理のメンバーＩＤがあると判定した場合には、Ｓ２５０１に示した処理に戻って上述した処理を繰り返す。
【００９７】
一方、未処理のメンバーＩＤがないと判定した場合には、配信部１２０３は、要約エリア１１０１に相当する画面データを、Ｓ２５０１で特定したメンバーＩＤに対応するユーザ端末１０３に送信する（Ｓ２５０９）。ユーザ端末１０３は、要約エリア１１０１に相当する画面データを受信すると、当該画面データを要約エリア１１０１に表示する。配信処理を終えると、図１６のＳ１６１５に示した処理に戻る。
【００９８】
図２６に示すように、編集エリア７０１及び共用エリア７０３と共に、要約エリア１１０１を設けるようにしてもよい。ユーザ端末１０３において、要約エリア１１０１における表示倍率を変更して、表示し直すようにしてもよい。
【００９９】
本実施の形態によれば、前回のグループ討議の内容を伝達しやすくなる。
【０１００】
また、共有オブジェクト同士の間隔、共有オブジェクトの大きさ、共有オブジェクトの移動距離、共有オブジェクトへのタッチ回数又は共有オブジェクトの色に基づいて、代表オブジェクトを決定するので、討議の実体を要約に反映しやすい。
【０１０１】
また、代表オブジェクトと周辺オブジェクトとを描画した画面データを配信するので、ユーザ端末１０３における負荷が少なくて済む。
【０１０２】
以上本発明の一実施の形態を説明したが、本発明はこれに限定されるものではない。例えば、上述の機能ブロック構成はプログラムモジュール構成に一致しない場合もある。
【０１０３】
また、上で説明した各記憶領域の構成は一例であって、上記のような構成でなければならないわけではない。さらに、処理フローにおいても、処理結果が変わらなければ、処理の順番を入れ替えることや複数の処理を並列に実行させるようにしても良い。
【０１０４】
なお、上で述べたサーバ装置１０１は、コンピュータ装置であって、図２７に示すように、メモリ２５０１とＣＰＵ（Central Processing Unit）２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本発明の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【０１０５】
以上述べた本発明の実施の形態をまとめると、以下のようになる。
【０１０６】
本実施の形態に係る討議支援方法は、（Ａ）第１グループの討議に参加する複数の第１メンバーの各々が使用するユーザ端末が共用する表示エリアの任意の位置に、ユーザ端末から提供される表示オブジェクトを貼り付ける処理と、（Ｂ）討議を終えた時点で表示エリアに貼り付けられている表示オブジェクトのうち、それらの表示オブジェクトを代表する第１オブジェクトを決定する決定処理と、（Ｃ）第１オブジェクトの周辺に貼り付けられている第２オブジェクトを選択する処理と、（Ｄ）第１オブジェクトと第２オブジェクトとを含む要約データを生成する処理と、（Ｅ）メンバー入れ替えに伴い、複数の第１メンバーの各々が改めて参加する第２グループの討議に参加する第２メンバーの端末に、要約データを配信する配信処理とを含む。
【０１０７】
このようにすれば、前回のグループ討議の内容を伝達しやすくなる。
【０１０８】
更に、上記決定処理において、表示オブジェクト同士の間隔、表示オブジェクトの大きさ、表示オブジェクトの移動距離、表示オブジェクトへのタッチ回数又は表示オブジェクトの色に基づいて、第１オブジェクトを決定するようにしてもよい。
【０１０９】
このようにすれば、討議の実体を要約に反映しやすい。
【０１１０】
更に、上記配信処理において、第１オブジェクトと第２オブジェクトとを描画した画面データを、要約データとして配信するようにしてもよい。
【０１１１】
このようにすれば、ユーザ端末における負荷が少なくて済む。
【０１１２】
なお、上記方法による処理をコンピュータに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【０１１３】
以上の実施例を含む実施形態に関し、さらに以下の付記を開示する。
【０１１４】
（付記１）
第１グループの討議に参加する複数の第１メンバーの各々が使用するユーザ端末が共用する表示エリアの任意の位置に、前記ユーザ端末から提供される表示オブジェクトを貼り付ける処理と、
前記討議を終えた時点で前記表示エリアに貼り付けられている前記表示オブジェクトのうち、それらの前記表示オブジェクトを代表する第１オブジェクトを決定する決定処理と、
前記第１オブジェクトの周辺に貼り付けられている第２オブジェクトを選択する処理と、
前記第１オブジェクトと前記第２オブジェクトとを含む要約データを生成する処理と、
メンバー入れ替えに伴い、前記複数の第１メンバーの各々が改めて参加する第２グループの討議に参加する第２メンバーの端末に、前記要約データを配信する配信処理と
を含み、コンピュータにより実行される討議支援方法。
【０１１５】
（付記２）
前記決定処理において、前記表示オブジェクト同士の間隔、前記表示オブジェクトの大きさ、前記表示オブジェクトの移動距離、前記表示オブジェクトへのタッチ回数又は前記表示オブジェクトの色に基づいて、前記第１オブジェクトを決定する
付記１記載の討議支援方法。
【０１１６】
（付記３）
前記配信処理において、前記第１オブジェクトと前記第２オブジェクトとを描画した画面データを、前記要約データとして配信する
付記２記載の討議支援方法。
【０１１７】
（付記４）
第１グループの討議に参加する複数の第１メンバーの各々が使用するユーザ端末が共用する表示エリアの任意の位置に、前記ユーザ端末から提供される表示オブジェクトを貼り付ける処理と、
前記討議を終えた時点で前記表示エリアに貼り付けられている前記表示オブジェクトのうち、それらの前記表示オブジェクトを代表する第１オブジェクトを決定する決定処理と、
前記第１オブジェクトの周辺に貼り付けられている第２オブジェクトを選択する処理と、
前記第１オブジェクトと前記第２オブジェクトとを含む要約データを生成する処理と、
メンバー入れ替えに伴い、前記複数の第１メンバーの各々が改めて参加する第２グループの討議に参加する第２メンバーの端末に、前記要約データを配信する配信処理と
をコンピュータに実行させるプログラム。
【０１１８】
（付記５）
第１グループの討議に参加する複数の第１メンバーの各々が使用するユーザ端末が共用する表示エリアの任意の位置に、前記ユーザ端末から提供される表示オブジェクトを貼り付ける貼付部と、
前記討議を終えた時点で前記表示エリアに貼り付けられている前記表示オブジェクトのうち、それらの前記表示オブジェクトを代表する第１オブジェクトを決定する決定部と、
前記第１オブジェクトの周辺に貼り付けられている第２オブジェクトを選択する選択部と、
前記第１オブジェクトと前記第２オブジェクトとを含む要約データを生成する生成部と、
メンバー入れ替えに伴い、前記複数の第１メンバーの各々が改めて参加する第２グループの討議に参加する第２メンバーの端末に、前記要約データを配信する配信部と
を有する討議支援装置。
【符号の説明】
【０１１９】
１０１  サーバ装置    １０３  ユーザ端末
３０１  テーブル    ３０３  メンバー
７０１  編集エリア    ７０３  共用エリア
１１０１  要約エリア    １２０１  編成部
１２０３  配信部    １２０５  受付部
１２０７  貼付部    １２０９  送信部
１２１１  移動部    １２１３  削除部
１２１５  生成部    １２１７  決定部
１２１９  選択部    １２３１  メンバー記憶部
１２３３  グループ記憶部    １２３５  共用エリアバッファ
１２３７  オブジェクト記憶部    １２３９  要約記憶部
１２４１  要約エリアバッファ
【図１】
2017068316.tif 000003
【図２】
2017068316.tif 000004
【図３】
2017068316.tif 000005
【図４】
2017068316.tif 000006
【図５】
2017068316.tif 000007
【図６】
2017068316.tif 000008
【図７】
2017068316.tif 000009
【図８】
2017068316.tif 000010
【図９】
2017068316.tif 000011
【図１０】
2017068316.tif 000012
【図１１】
2017068316.tif 000013
【図１２】
2017068316.tif 000014
【図１３】
2017068316.tif 000015
【図１４】
2017068316.tif 000016
【図１５】
2017068316.tif 000017
【図１６】
2017068316.tif 000018
【図１７】
2017068316.tif 000019
【図１８】
2017068316.tif 000020
【図１９】
2017068316.tif 000021
【図２０】
2017068316.tif 000022
【図２１】
2017068316.tif 000023
【図２２】
2017068316.tif 000024
【図２３】
2017068316.tif 000025
【図２４】
2017068316.tif 000026
【図２５】
2017068316.tif 000027
【図２６】
2017068316.tif 000028
【図２７】
2017068316.tif 000029